(57)【要約】  【課題】  原色の光強度不足による階調のクリップを抑制できる色変換装置を提供する。  【解決手段】  第１のデバイスのカラープロファイルと第２のデバイスのカラープロファイルとの関係に基づいて補正情報を生成する補正情報生成手段６と、第１のデバイスのカラープロファイルを用いて第１のデバイスのデバイス依存色で表現された第１の色データをデバイス独立色の色データに変換する色変換手段１と、色変換手段１が変換したデバイス独立色の色データを補正情報に基づいて補正し、デバイス独立色の補正色データを出力する補正手段８と、第２のデバイスのカラープロファイルを用いてデバイス独立色の補正色データを第２のデバイスのデバイス依存色で表現された第２の色データへ逆変換する色逆変換手段９を備える。【選択図】  図１
2005204070.tif 000002
【特許請求の範囲】
【請求項１】
第１のデバイスのカラープロファイルと第２のデバイスのカラープロファイルとの関係に基づいて補正情報を生成する補正情報生成手段と、
第１のデバイスのカラープロファイルを用いて第１のデバイスのデバイス依存色で表現された第１の色データをデバイス独立色の色データに変換する色変換手段と、
前記色変換手段が変換したデバイス独立色の色データを前記補正情報生成手段が生成した補正情報に基づいて補正し、デバイス独立色の補正色データを出力する補正手段と、
第２のデバイスのカラープロファイルを用いてデバイス独立色の補正色データを第２のデバイスのデバイス依存色で表現された第２の色データへ逆変換する色逆変換手段とを備える色変換装置。
【請求項２】
前記補正情報生成手段は、第１のデバイスのカラープロファイルと第２のデバイスのカラープロファイルとにおいて、原色の値を大小比較し、
補正情報は、前記補正情報生成手段の比較結果に基づいて定められる、「０」以上「１」以下の係数ｋを含む請求項１記載の色変換装置。
【請求項３】
第１のデバイスのカラープロファイルは、第１のデバイスの赤青緑の測色値（Ｘｒ１，Ｙｒ１，Ｚｒ１）、（Ｘｇ１，Ｙｇ１，Ｚｇ１）、（Ｘｂ１，Ｙｂ１，Ｚｂ１）を含み、第２のデバイスのカラープロファイルは、第２のデバイスの赤青緑の測色値（Ｘｒ２，Ｙｒ２，Ｚｒ２）、（Ｘｇ２，Ｙｇ２，Ｚｇ２）、（Ｘｂ２，Ｙｂ２，Ｚｂ２）を含み、係数ｋは、Ｘｒ２≧ｋ×Ｘｒ１，Ｘｇ２≧ｋ×Ｘｇ１，Ｘｂ２≧ｋ×Ｘｂ１を満たす、請求項２記載の色変換装置。
【請求項４】
係数ｋは、
第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルのいずれもが、
第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面を突き抜けないように定められる、請求項２記載の色変換装置。
【請求項５】
係数ｋは、
第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルの少なくとも１つが、
第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面のいずれかに接するように定められる、請求項４記載の色変換装置。
【請求項６】
第１のデバイスのカラープロファイルと第２のデバイスのカラープロファイルとの関係に基づいて補正されたデバイス独立色の色データを入力し、入力した色データを第２のデバイスのデバイス依存色で表現された第２の色データへ逆変換する色逆変換手段を備える色変換装置。
【請求項７】
請求項１から６記載の色変換装置と、逆変換された第２の色データを表示する表示手段とを備えるカラー画像表示装置。
【請求項８】
請求項１から６記載の色変換装置と、逆変換された第２の色データを印刷する印刷手段とを備えるカラー画像印刷装置。
【請求項９】
第１のデバイスのカラープロファイルと第２のデバイスのカラープロファイルとの関係に基づいて補正情報を生成する補正情報生成ステップと、
第１のデバイスのカラープロファイルを用いて第１のデバイスのデバイス依存色で表現された第１の色データをデバイス独立色の色データに変換する色変換ステップと、
前記色変換ステップで変換したデバイス独立色の色データを前記補正情報生成ステップで生成した補正情報に基づいて補正し、デバイス独立色の補正色データを出力する補正ステップと、
第２のデバイスのカラープロファイルを用いてデバイス独立色の補正色データを第２のデバイスのデバイス依存色で表現された第２の色データへ逆変換する色逆変換ステップとを含む色変換方法。
【請求項１０】
前記補正情報生成ステップでは、第１のデバイスのカラープロファイルと第２のデバイスのカラープロファイルとにおいて、原色の値を大小比較し、
補正情報は、前記補正情報生成ステップの比較結果に基づいて定められる、「０」以上「１」以下の係数を含む請求項９記載の色変換方法。
【請求項１１】
第１のデバイスのカラープロファイルは、第１のデバイスの赤青緑の測色値（Ｘｒ１，Ｙｒ１，Ｚｒ１）、（Ｘｇ１，Ｙｇ１，Ｚｇ１）、（Ｘｂ１，Ｙｂ１，Ｚｂ１）を含み、第２のデバイスのカラープロファイルは、第２のデバイスの赤青緑の測色値（Ｘｒ２，Ｙｒ２，Ｚｒ２）、（Ｘｇ２，Ｙｇ２，Ｚｇ２）、（Ｘｂ２，Ｙｂ２，Ｚｂ２）を含み、係数ｋは、Ｘｒ２≧ｋ×Ｘｒ１，Ｘｇ２≧ｋ×Ｘｇ１，Ｘｂ２≧ｋ×Ｘｂ１を満たす、請求項１０記載の色変換方法。
【請求項１２】
係数ｋは、
第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルのいずれもが、
第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面を突き抜けないように定められる、請求項１０記載の色変換方法。
【請求項１３】
係数ｋは、
第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルの少なくとも１つが、
第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面のいずれかに接するように定められる、請求項１２記載の色変換方法。
【請求項１４】
第１のデバイスのカラープロファイルと第２のデバイスのカラープロファイルとの関係に基づいて補正されたデバイス独立色の色データを入力し、入力した色データを第２のデバイスのデバイス依存色で表現された第２の色データへ逆変換する色逆変換ステップを含む色変換方法。
【請求項１５】
第１のデバイスのカラープロファイルと第２のデバイスのカラープロファイルとの関係に基づいて補正情報を生成する補正情報生成ステップと、
第１のデバイスのカラープロファイルを用いて第１のデバイスのデバイス依存色で表現された第１の色データをデバイス独立色の色データに変換する色変換ステップと、
前記色変換ステップで変換したデバイス独立色の色データを前記補正情報生成ステップで生成した補正情報に基づいて補正し、デバイス独立色の補正色データを出力する補正ステップと、
第２のデバイスのカラープロファイルを用いてデバイス独立色の補正色データを第２のデバイスのデバイス依存色で表現された第２の色データへ逆変換する色逆変換ステップとを含む色変換プログラムをコンピュータ読み取り可能に格納した記録媒体。
【請求項１６】
第１のデバイスのカラープロファイルと第２のデバイスのカラープロファイルとの関係に基づいて補正されたデバイス独立色の色データを入力し、入力した色データを第２のデバイスのデバイス依存色で表現された第２の色データへ逆変換する色逆変換ステップを含む色変換プログラムをコンピュータ読み取り可能に記録した記録媒体。
【発明の詳細な説明】
【技術分野】
【０００１】
本発明は、第１のデバイスのデバイス依存色で表現された第１の色データを、第２のデバイスのデバイス依存色で表現された第２の色データに変換する色変換装置及びその関連技術に関するものである。
【背景技術】
【０００２】
デジタルカメラやスキャナ等の撮像デバイス、ＬＣＤやＣＲＴ等のカラー表示デバイス及びプリンタ等のカラー印刷デバイスは、それぞれ固有のデバイス依存色を持ち、このデバイス依存色で表現された色データを取り扱う。仮に、色データがＲＧＢ色空間（ＣＭＹ色空間等でも同じ）で表現されるとしても、色空間の定義や特性は、デバイス毎に様々であり、異なるデバイス間における、互換性は保証されない。
【０００３】
例えば、インターネットのＷＥＢサイト上で、被服、家具、美術品等、色が重要なファクターとなる商品を取引する際、売り主の色イメージと買い主の色イメージとは、高いレベルで確保されなければならない。さもなければ、返品、苦情等のトラブルが発生するであろう。
【０００４】
また、色データを、サーバ上に蓄積し、これをネットワークを介して配送する場合や、色データを記録媒体に格納し、記録媒体を他人に渡す場合、さらには、表示デバイス上に表示された色データに基づいて、印刷デバイスにより、用紙等にカラー印刷する場合、等々においても、同様の問題がある。
【０００５】
この点について、特許文献１（特開平６−２６６３０４号公報）は、次の技術を開示する。即ち、この技術では、緑の輝度が所定の輝度範囲に収まるように、色データが補正され、他の色については、所定の色度範囲に収まるように、色データが補正される。
【０００６】
しかしながら、このようにすると、
（１）調整者（ＣＲＴ等の製造業者）が色補正を行うことを前提としており、広く一般の人が色データを取り扱っている現状になじまない。
（２）デバイス依存色の色空間の定義や特性が多様であることへの、解決にはならない。
（３）第１のデバイスのデバイス依存色で表現された第１の色データの表示／印刷結果と、第２のデバイスのデバイス依存色で表現された第２の色データの表示／印刷結果とが、異なる。
というような問題点があり、不十分である。
【０００７】
視点を変えて、第１の色データをデバイス独立色の色データに変換し、デバイス独立色の色データを第２の色データに変換すること（デバイス独立色経由）が考えられる。Ｗｉｎｄｏｗｓ（登録商標）等のＯＳには、デバイス独立色を取り扱うＡＰＩ（Ａｐｐｌｉｃａｔｉｏｎ  Ｉｎｔｅｒｆａｃｅ）関数が、既に実装されており、さらに、このＡＰＩ関数では、ＩＣＣ（Ｉｎｔｅｒｎａｔｉｏｎａｌ  Ｃｏｌｏｒ  Ｃｏｎｓｏｒｔｉｕｍ）プロファイル中にデバイス特性を保存できるようになっている。
【０００８】
しかしながら、デバイス独立色を経由する上記手法によっても、次のような問題点がある。図７は、従来の色変換装置のブロック図である。
【０００９】
色変換手段１は、第１のデバイス（ここではデジタルカメラ）のデバイス依存色で表現された第１の色データ（Ｒ１，Ｇ１，Ｂ１）を、第１のデバイスに係るカラープロファイル（第１のカラープロファイル記憶手段２に格納されている）を用いて、デバイス独立色の色データ（Ｘ，Ｙ，Ｚ）に変換する。
【００１０】
また、色逆変換手段９は、デバイス独立色の色データ（Ｘ，Ｙ，Ｚ）を第２のデバイス（ここでは表示手段３）のデバイス依存色で表現された第２の色データ（Ｒ２，Ｇ２，Ｂ２）に変換する。
【００１１】
こうすれば、全く問題ないかのように思われる。しかしながら、第１のデバイス（ここではデジタルカメラ）の特性と、第２のデバイス（ここでは表示手段３）の特性とは、一般に一致しない。そして、表示手段３の光強度が、変換された第２の色データ（Ｒ２，Ｇ２，Ｂ２）に対し、少なくとも１つの原色において不足していると、この原色に関し階調のクリップが発生し、色相が回転してしまう。例えば、緑において階調のクリップが発生すると、色がマゼンダがかり、緑の階調に不連続な境界ができてしまう。こうなると、色の互換性が失われる。
【特許文献１】特開平６−２６６３０４号公報
【発明の開示】
【発明が解決しようとする課題】
【００１２】
そこで本発明は、原色の光強度不足による階調のクリップを抑制できる色変換装置及びその関連技術を提供することを目的とする。
【課題を解決するための手段】
【００１３】
請求項１記載の色変換装置は、第１のデバイスのカラープロファイルと第２のデバイスのカラープロファイルとの関係に基づいて補正情報を生成する補正情報生成手段と、第１のデバイスのカラープロファイルを用いて第１のデバイスのデバイス依存色で表現された第１の色データをデバイス独立色の色データに変換する色変換手段と、色変換手段が変換したデバイス独立色の色データを補正情報生成手段が生成した補正情報に基づいて補正し、デバイス独立色の補正色データを出力する補正手段と、第２のデバイスのカラープロファイルを用いてデバイス独立色の補正色データを第２のデバイスのデバイス依存色で表現された第２の色データへ逆変換する色変換手段とを備える。
【００１４】
この構成において、補正情報には、第１のデバイスのカラープロファイルと第２のデバイスのカラープロファイルとの両方の特性が反映され、第１のデバイスと第２のデバイスのうち、一方が他方よりも光強度が不足するなど、特性の不一致があったとしても、それを反映した補正を実施できる。
【００１５】
このため、光強度不足により階調のクリップを抑制でき、色再現性を向上できる。しかも、ユーザが試行錯誤する必要はなく、演算により、補正特性が適正に設定されるため、広く一般の人が色データを取り扱う現状に即した色変換を行える。
【００１６】
請求項２記載の色変換装置では、補正手段は、第１のデバイスのカラープロファイルと第２のデバイスのカラープロファイルとにおいて、原色の値を大小比較し、補正情報は、補正手段の比較結果に基づいて定められる、「０」以上「１」以下の係数ｋを含む。
【００１７】
この構成により、原色の色の大小比較により、光強度不足による階調のクリップを確実に抑制でき、第１の色データによる色表現を、第２の色データにより忠実に再現できる。
【００１８】
請求項３記載の色変換装置では、第１のデバイスのカラープロファイルは、第１のデバイスの赤青緑の測色値（Ｘｒ１，Ｙｒ１，Ｚｒ１）、（Ｘｇ１，Ｙｇ１，Ｚｇ１）、（Ｘｂ１，Ｙｂ１，Ｚｂ１）を含み、第２のデバイスのカラープロファイルは、第２のデバイスの赤青緑の測色値（Ｘｒ２，Ｙｒ２，Ｚｒ２）、（Ｘｇ２，Ｙｇ２，Ｚｇ２）、（Ｘｂ２，Ｙｂ２，Ｚｂ２）を含み、係数ｋは、Ｘｒ２≧ｋ×Ｘｒ１，Ｘｇ２≧ｋ×Ｘｇ１，Ｘｂ２≧ｋ×Ｘｂ１を満たす。
【００１９】
この構成により、係数ｋを用いて、補正情報を簡潔かつ正確に表現できるし、光強度不足による階調のクリップを確実に抑制できる。
【００２０】
請求項４記載の色変換装置では、係数ｋは、第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルのいずれもが、第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面を突き抜けないように定められる。
【００２１】
この構成により、幾何学的関係により、光強度不足による階調のクリップを確実に抑制でき、第１の色データによる色表現を、第２の色データにより忠実に再現できる。
【００２２】
請求項５記載の色変換装置では、係数ｋは、第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルの少なくとも１つが、第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面のいずれかに接するように定められる。
【００２３】
この構成により、光強度不足による階調のクリップを確実に抑制できるだけでなく、第２の色データのダイナミックレンジを、最大限確保できる。
【発明の効果】
【００２４】
本発明によれば、光強度不足により階調のクリップを抑制でき、色再現性を向上できる。しかも、試行錯誤等わずらわしい操作なしに、補正特性を適正に設定できる。
【発明を実施するための最良の形態】
【００２５】
以下、図面を参照しながら、本発明の実施の形態を説明する。
【００２６】
（実施の形態１）
図１は、本発明の実施の形態１における色変換装置のブロック図である。図１において、色変換装置は、色変換手段１、第１のカラープロファイル記憶手段２、補正情報生成手段６、補正情報記憶手段７、第２のカラープロファイル記憶手段５、補正手段８及び色逆変換手段９を備える。なお、本明細書では、デバイス依存色からデバイス独立色への変換を、「変換」といい、デバイス独立色からデバイス依存色への変換を、「逆変換」という。
【００２７】
そして、図１において、表示手段３（ＬＣＤでもＣＲＴでも良い）は、第２のデバイスに相当する。第２のデバイスは、色変換装置から最終的に出力される、第２の表示デバイスのデバイス依存色の第２の色データ（Ｒ２，Ｇ２，Ｂ２）による色表現を行うものであり、図示している表示手段３ではなく、カラー印刷を行うプリンタとしてもよい。
【００２８】
また、図１に示す色変換装置を構成する各手段１、２、５、６、７、８、９は、色変換プログラムが記録媒体により提供されるときには、この色変換プログラムのプログラムモジュールあるいはプログラムにより確保されるメモリやハードディスク上の領域の形態を持つ。
【００２９】
図１において、第１のカラープロファイル記憶手段２には、第１のデバイス（ここでは、第１のデバイスのデバイス依存色で表現された第１の色データ（Ｒ１，Ｇ１，Ｂ１）を生成するデジタルカメラ）に係るカラープロファイルが格納される。第１のカラープロファイル記憶手段２は、階調特性や、原色のＣＩＥ−ＸＹＺ値等、第１のデバイスの色彩特性を記憶している。
【００３０】
第２のカラープロファイル記憶手段５には、第２のデバイス（ここでは、表示手段３のデバイス依存色に係るカラープロファイルが格納される。第２のカラープロファイル記憶手段５は、階調特性や、原色のＣＩＥ−ＸＹＺ値等、第２のデバイスの色彩特性を記憶している。
【００３１】
第１，第２のカラープロファイル記憶手段２、５における格納の形態は、任意であり、例えば、ＩＣＣ（Ｉｎｔｅｒｎａｔｉｏｎａｌ  Ｃｏｌｏｒ  Ｃｏｎｓｏｒｔｉｕｍ）プロファイルを用いても良い。
【００３２】
補正情報生成手段６は、第１のカラープロファイル記憶手段２に格納された第１のデバイスのカラープロファイルと、第２のカラープロファイル記憶手段５に格納された第２のデバイスのカラープロファイルとの関係に基づいて、補正情報（本形態では、補正係数ｋを含む）を生成する。
【００３３】
補正情報生成手段６は、生成した補正情報を、補正情報記憶手段７に格納する。
【００３４】
色変換手段１は、第１のデバイスのデバイス依存色で表現された第１の色データ（Ｒ１，Ｇ１，Ｂ１）を、第１のデバイスに係るカラープロファイル（第１のカラープロファイル記憶手段２に格納されている）を用いて、デバイス独立色（本形態では、ＣＩＥ−ＸＹＺ色空間）の色データ（Ｘ，Ｙ，Ｚ）に変換する。より具体的には、色変換手段１は、次式により演算を行う。
【００３５】
【数１】
2005204070.tif 000003
【００３６】
なお、関数ｆｒ，ｆｇ，ｆｂは、第１のカラープロファイル記憶手段２に記憶されている階調特性を条件に決定される関数であり、ルックアップテーブルによる補間演算をおこなう関数である。行列ｍ１の各行列係数は、第１のカラープロファイル記憶手段２に記憶されている。
【００３７】
補正手段８は、補正情報記憶手段７に格納されている補正情報を用いて、色変換手段１が出力するデバイス独立色の色データ（Ｘ，Ｙ，Ｚ）を、デバイス独立色の補正色データ（Ｘ’，Ｙ’，Ｚ’）に補正する。
【００３８】
実施の形態１では、補正情報生成手段６は、第１のデバイスのカラープロファイルと第２のデバイスのカラープロファイルとにおいて、原色の値を大小比較する。補正情報は、補正情報生成手段６の比較結果に基づいて定められる、「０」以上「１」以下の係数ｋである。
【００３９】
ここで、第１のデバイスのカラープロファイルは、第１のデバイスの赤青緑の測色値（Ｘｒ１，Ｙｒ１，Ｚｒ１）、（Ｘｇ１，Ｙｇ１，Ｚｇ１）、（Ｘｂ１，Ｙｂ１，Ｚｂ１）を含む。同様に、第２のデバイスのカラープロファイルは、第２のデバイスの赤青緑の測色値（Ｘｒ２，Ｙｒ２，Ｚｒ２）、（Ｘｇ２，Ｙｇ２，Ｚｇ２）、（Ｘｂ２，Ｙｂ２，Ｚｂ２）を含む。
【００４０】
そして、補正情報生成手段６は、係数ｋが、Ｘｒ２≧ｋ×Ｘｒ１，Ｘｇ２≧ｋ×Ｘｇ１，Ｘｂ２≧ｋ×Ｘｂ１を満たすように、係数ｋを定める。
【００４１】
図２（ａ）には、第１のデバイスによるデバイス依存色の表示可能範囲（Ｒ１ｍａｘ，Ｇ１ｍａｘ）をＣＩＥ−ＸＹＺ色空間上に投影したものと、第２のデバイスによるデバイス依存色の表示可能範囲（Ｒ２ｍａｘ，Ｇ２ｍａｘ）をＣＩＥ−ＸＹＺ色空間上に投影したものとを、重ねて表示してある。実際の色空間は３次元空間であるが、ここでは図を簡単にするため、Ｘ−Ｙの２次元空間のみを図示している。
【００４２】
即ち、図２（ａ）に示すように、白（Ｗ１、Ｗ２）の輝度（Ｙ）を、「１」に正規化しても、第２のデバイス（表示手段３）の原色（Ｒ２ｍａｘ、Ｇ２ｍａｘ、Ｂ２ｍａｘ）よりも、第１のデバイスの原色（Ｒ１ｍａｘ、Ｇ１ｍａｘ、Ｂ１ｍａｘ）が大きい場合、斜線で示した部分は、表示手段では表示できず、色がクリップされてしまう。
【００４３】
そこで、入力信号より得られたＣＩＥ−ＸＹＺ値に補正係数ｋ（０以上１以下）を積算することにより、図２（ｂ）のように、色がクリップされるのを防止する。
【００４４】
即ち、補正手段８は、次式により、補正を行う。
【００４５】
【数２】
2005204070.tif 000004
【００４６】
また、色逆変換手段９は、次式により、デバイス独立色の補正色データ（Ｘ’，Ｙ’，Ｚ’）を第２のデバイス（表示手段３）のデバイス依存色で表現された第２の色データ（Ｒ２，Ｇ２，Ｂ２）に逆変換する。
【００４７】
【数３】
2005204070.tif 000005
【００４８】
なお、関数ｇｒ，ｇｇ，ｇｂは、第２のカラープロファイル記憶手段５に記憶されている階調特性を条件に決定される関数であり、ルックアップテーブルによる補間演算をおこなう関数である。行列ｍ２の各行列係数は、第２のカラープロファイル記憶手段５に記憶されている。
【００４９】
次に、図３を参照しながら、実施の形態１において、補正情報生成手段６が、補正係数ｋを定めるプロセスを説明する。
【００５０】
まず、ステップ１にて、補正情報生成手段６は、赤の測色値について検討する。即ち、第１のデバイスの測色値Ｘｒ１と第２のデバイスの測色値Ｘｒ２とを大小比較する。Ｘｒ２＜Ｘｒ１ならば、赤の係数ｋｒ＝Ｘｒ２／Ｘｒ１とし（ステップ２）、そうでなければ、赤の係数ｋｒ＝１とする（ステップ３）。
【００５１】
次に、ステップ４にて、補正情報生成手段６は、緑の測色値について検討する。即ち、第１のデバイスの測色値Ｙｇ１と第２のデバイスの測色値Ｙｇ２とを大小比較する。Ｙｇ２＜Ｙｇ１ならば、緑の係数ｋｇ＝Ｙｇ２／Ｙｇ１とし（ステップ５）、そうでなければ、緑の係数ｋｇ＝１とする（ステップ６）。
【００５２】
さらに、ステップ７にて、補正情報生成手段６は、青の測色値について検討する。即ち、第１のデバイスの測色値Ｚｂ１と第２のデバイスの測色値Ｚｂ２とを大小比較する。Ｚｂ２＜Ｚｂ１ならば、青の係数ｋｂ＝Ｚｂ２／Ｚｂ１とし（ステップ８）、そうでなければ、青の係数ｋｂ＝１とする（ステップ９）。
【００５３】
なお、ステップ１から３、ステップ４から６、ステップ７から９は、順不同に入れ替えたり、並列で処理しても良い。
【００５４】
そして、赤の係数ｋｒ、緑の係数ｋｇ、青の係数ｋｂの全てが定まったら、補正情報生成手段６は、ステップ１０にて、補正情報生成手段６は、赤の係数ｋｒ、緑の係数ｋｇ、青の係数ｋｂのうち、最小の係数を、求める係数ｋとする。
【００５５】
本形態によれば、次の効果がある。
（効果１）ＲＧＢ原色の光強度不足による階調のクリップが発生することなく、第２のデバイスにおいて第１の色データからなる画像の色を忠実に再現できる。
（効果２）入力デバイスと出力デバイスのどのような組み合わせにおいても、ＲＧＢ原色の光強度不足による階調のクリップが発生しない。
（効果３）ユーザの試行錯誤による調整が不要である。
【００５６】
本形態では、第２のデバイスを、画像表示装置としたが、表示手段を様々なデバイスに置き換えても良いし、色変換装置の機能を、複数の装置に分割して持たせ、これらの装置の集合により、色変換装置を構成しても良い。
【００５７】
また、色変換手段１の式は、上記に限定されるものではなく、第１のデバイス依存色の色データを、デバイス独立色の色データに変換するものであれば任意である。同様に、色逆変換手段９の式は、上記に限定されるものではなく、デバイス独立色の色データを、第２のデバイス依存色の色データに逆変換するものであれば任意である。さらに、デバイス依存色は、ＲＧＢ色空間でなく、ＣＭＹ色空間でもよい。
【００５８】
（実施の形態２）
実施の形態２では、補正情報生成手段６の処理内容が、実施の形態１と異なるが、他の点は、実施の形態１と同様である。したがって以下、補正情報生成手段６の処理内容のみを説明する。
【００５９】
実施の形態２では、係数ｋは、第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルのいずれもが、第２のデバイスのデバイス依存色における、白（Ｗ）、赤（Ｒ）、緑（Ｇ）及び青（Ｂ）を頂点とする六面体における、ＷＲＧ平面、ＷＧＢ平面及びＷＢＲ平面を突き抜けないように定められる。
【００６０】
さらに、第１のデバイスのデバイス依存色の、白（Ｗ）に係数ｋを乗じたベクトル、赤（Ｒ）に係数ｋを乗じたベクトル、緑（Ｇ）に係数ｋを乗じたベクトル及び青（Ｂ）に係数ｋを乗じたベクトルの少なくとも１つが、第２のデバイスのデバイス依存色における、白（Ｗ）、赤（Ｒ）、緑（Ｇ）及び青（Ｂ）を頂点とする六面体を構成する、ＷＲＧ平面、ＷＧＢ平面及びＷＢＲ平面のいずれかに接するように定められる。
【００６１】
即ち、図４に示すように、補正情報生成手段６は、第２のデバイスのカラープロファイルに基づいて、白（Ｗ）、赤（Ｒ２ｍａｘ）、緑（Ｇ２ｍａｘ）、青（Ｂ２ｍａｘ）を頂点とする六面体を定める。そして、補正情報生成手段６は、この六面体のＷＲＧ平面、ＷＧＢ平面、ＷＢＲ平面の方程式を導出する。
【００６２】
次に、図５を参照しながら、補正情報生成手段６の処理内容を説明する。補正情報生成手段６は、以上の準備をした上で、ステップ２０にて、色を示すカウンタｉを「０」とする。なおここでは、ｉ＝０のとき白（Ｗ）、ｉ＝１のとき赤（Ｒ）、ｉ＝２のとき緑（Ｇ）、ｉ＝３のとき青（Ｂ）を示す。
【００６３】
ステップ２１〜ステップ３３は、ｉ＝０からｉ＝３までの繰り返しループである。
【００６４】
そして、ステップ２２にて、補正情報生成手段６は、ＷＲＧ平面とベクトルｃ（ｉ）とが交差するかどうかチェックする。交差しなければ、ステップ２５へ処理が移り、交差するならば交点Ｐが求められ、ベクトルｃ（ｉ）に係数ｋ（ｉ）を乗ずると、乗じたベクトルｋ（ｉ）ｃ（ｉ）が丁度ＷＲＧ平面に接するように、係数ｋ（ｉ）が定められる（ステップ２３〜２４）。
【００６５】
また、ステップ２５にて、補正情報生成手段６は、ＷＧＢ平面とベクトルｃ（ｉ）とが交差するかどうかチェックする。交差しなければ、ステップ２８へ処理が移り、交差するならば交点Ｐが求められ、ベクトルｃ（ｉ）に係数ｋ（ｉ）を乗ずると、乗じたベクトルｋ（ｉ）ｃ（ｉ）が丁度ＷＧＢ平面に接するように、係数ｋ（ｉ）が定められる（ステップ２６〜２７）。
【００６６】
また、ステップ２８にて、補正情報生成手段６は、ＷＢＲ平面とベクトルｃ（ｉ）とが交差するかどうかチェックする。交差しなければ、ステップ３１へ処理が移り、交差するならば交点Ｐが求められ、ベクトルｃ（ｉ）に係数ｋ（ｉ）を乗ずると、乗じたベクトルｋ（ｉ）ｃ（ｉ）が丁度ＷＢＲ平面に接するように、係数ｋ（ｉ）が定められる（ステップ２９〜３０）。
【００６７】
なお、ベクトルｃ（ｉ）が、ＷＲＧ平面、ＷＧＢ平面、ＷＢＲ平面のいずれにも交差しないときは、係数ｋ（ｉ）＝１とされる（ステップ３１）。
【００６８】
補正情報生成手段６は、以上の処理を、ｉ＝３まで繰り返したら、定めた係数ｋ（ｉ）の最小値を、求める係数ｋとする（ステップ３４）。
【００６９】
実施の形態２によれば、実施の形態１の効果に加え、ＲＧＢ原色の光強度不足による階調のクリップが発生することなく、出力輝度の低下を最小限に抑えることができる。
【００７０】
さらに、図５の処理は、図６のように変形することもできる。即ち、補正情報生成手段６は、ステップ４０にて、第２のカラープロファイルの白（Ｗ）の輝度Ｙｎ２が「１」になるように、第２のカラープロファイルの測色値（Ｘｒ２，Ｙｒ２，Ｚｒ２）、（Ｘｇ２，Ｙｇ２，Ｚｇ２）、（Ｘｂ２，Ｙｂ２，Ｚｂ２）を正規化する。
【００７１】
また、補正情報生成手段６は、ステップ４１にて、第１のカラープロファイルの白（Ｗ）の輝度Ｙｎ１が「１」になるように、第１のカラープロファイルの測色値（Ｘｒ１，Ｙｒ１，Ｚｒ１）、（Ｘｇ１，Ｙｇ１，Ｚｇ１）、（Ｘｂ１，Ｙｂ１，Ｚｂ１）を正規化する。なお、ステップ４０，４１の順序は、入れ替えても良い。
【００７２】
そして、図６と同様のカウンタｉを用いて、補正情報生成手段６は、ステップ４２〜ステップ５２の処理を行う。但し、図６では、図５と異なり、まず、ステップ４４にて、補正情報生成手段６は、求める係数ｋ＝１とする。
【００７３】
そして、ステップ４５〜４６、ステップ４７〜４８、ステップ４９〜５０において、現在の係数ｋを微少値Δｋ（正）だけ小さくしながら、上記三平面とベクトルｋ×ｃ（ｉ）とが交差するかどうか演算を繰り返し、交差したら次段の処理へ移行する。
【００７４】
これにより、ベクトルｋ×ｃ（ｉ）は、いずれの平面をも突き抜けないことが保証される。
【００７５】
補正情報生成手段６は、以上の処理を、カウンタｉをインクリメントしながら（ステップ５１）、ｉ＝３まで繰り返し、ステップ５３にて、ｋ×Ｙｎ２／Ｙｎ１という値を、求める係数ｋとする。
【産業上の利用可能性】
【００７６】
本発明の画像表示装置は、例えば、ＬＣＤ等の表示デバイスを色再現性が要求される用途に使用する場合等において好適に利用できる。
【図面の簡単な説明】
【００７７】
【図１】本発明の実施の形態１における色変換装置のブロック図
【図２】（ａ）同係数決定の説明図  （ｂ）同係数決定の説明図
【図３】同補正情報生成手段のフローチャート
【図４】本発明の実施の形態２における係数決定の説明図
【図５】同補正情報決定手段のフローチャート
【図６】同補正情報決定手段（変形例）のフローチャート
【図７】従来の色変換装置のブロック図
【符号の説明】
【００７８】
１  色変換手段
２  第１のカラープロファイル記憶手段
３  表示手段
４  分光測色計
５  第２のカラープロファイル記憶手段
６  補正情報生成手段
７  補正情報記憶手段
８  補正手段
９  色逆変換手段
【図１】
2005204070.tif 000006
【図２】
2005204070.tif 000007
【図３】
2005204070.tif 000008
【図４】
2005204070.tif 000009
【図５】
2005204070.tif 000010
【図６】
2005204070.tif 000011
【図７】
2005204070.tif 000012